(57)【要約】      （修正有）【課題】機能的で使用可能な香水ボトルペンダントを提供する。【解決手段】香水エッセンシャルオイルを収容するためのボトル本体１を含み、ボトル本体１の外周に装飾ケーシング２が嵌設され、ボトル本体１の上方にはボトル栓３が設けられ、ボトル栓３の下方には一端がボトル本体の内部に挿入するねじ位置４が設けられ、ボトル栓３の上方には装飾キャップ５がさらに設けられ、ボトル本体１及びボトル栓３がアルミニウム合金製であり、ボトル栓３とボトル本体１との接続箇所にチェーン接続装置を係止するための係止部６が設けられる。貴石又は半貴石の軽量性設計に合わせて、容器のサイズを小さくし、ペンダント全体の重量を軽減し、首に掛けるために適する。内容器のサイズが小さくされるため、容量を増やすために、ねじ位置４を長くして、従来のガラス製のディップスティックを代替する。ペンダントのボトルネックに金属スイッチバックル７及びチェーンを付加し、このペンダントを機能的な製品にする。【選択図】図１
0003221951.tif 000002
【実用新案登録請求の範囲】
【請求項１】
香水ボトルペンダントであって、香水エッセンシャルオイルを収容するためのボトル本体を含み、前記ボトル本体の外周に装飾用の装飾ケーシングが嵌設され、前記ボトル本体の上方にはねじ山を介して前記ボトル本体に螺合されるボトル栓が設けられ、前記ボトル栓の下方には一端がボトル本体の内部に挿入するねじ位置が設けられ、前記ボトル栓の上方には装飾キャップがさらに設けられ、前記ボトル本体及びボトル栓が金属材製であり、前記ボトル栓とボトル本体との接続箇所にチェーン接続装置を係止するための係止部が設けられる
ことを特徴とする香水ボトルペンダント。
【請求項２】
前記ボトル本体外周の装飾ケーシング及びボトル栓上方の装飾キャップは貴石又は半貴石材料から作製される
ことを特徴とする請求項１に記載の香水ボトルペンダント。
【請求項３】
前記チェーン接続装置は、一端がヒンジで接続され、他端が可動ファスナで係合接続され、中間位置にチェーンに接続するためのリングがそれぞれ設けられる２つの円弧状の係合装置を含む金属スイッチバックルである
ことを特徴とする請求項１に記載の香水ボトルペンダント。
【請求項４】
前記ボトル本体及びボトル栓はアルミニウム合金製である
ことを特徴とする請求項１に記載の香水ボトルペンダント。
【請求項５】
前記ボトル本体及びボトル栓は黄金合金又は白金合金から作製される
ことを特徴とする請求項１に記載の香水ボトルペンダント。
【請求項６】
前記ボトル本体及びボトル栓はステンレス鋼製である
ことを特徴とする請求項１に記載の香水ボトルペンダント。
【考案の詳細な説明】
【技術分野】
【０００１】
本考案は、ペンダント分野に関し、特に香水ボトルペンダントに関するものである。
【背景技術】
【０００２】
従来の香水ボトルは、リビングルーム、バスルーム、寝室、ホテル、レストラン、自動車などに一般的に広く使用されている。液状の芳香剤からアロマを放出して空気の質を向上させる装飾品であり、よって、十分な容量の芳香剤を注入するという元の設計コンセプトを実現するために、注入されたガラス容器及びディップスティックのサイズは比較的大きい。その結果、ガラス容器及びディップスティックのサイズ制限及び全体のボトル重量のために、首にペンダントとして使用できず、またガラス容器がエッセンシャルオイルの保存に適しないという欠点が伴う。
【考案の概要】
【考案が解決しようとする課題】
【０００３】
本考案の実施例が解決しようとする課題は、機能的で使用可能な香水ボトルペンダントを提供することである。
【課題を解決するための手段】
【０００４】
前記香水ボトルペンダントは、香水エッセンシャルオイルを収容するためのボトル本体を含み、前記ボトル本体の外周に装飾用の装飾ケーシングが嵌設され、前記ボトル本体の上方にはねじ山を介して前記ボトル本体に螺合されるボトル栓が設けられ、前記ボトル栓の下方には一端がボトル本体の内部に挿入するねじ位置が設けられ、前記ボトル栓の上方には装飾キャップがさらに設けられ、前記ボトル本体及びボトル栓が金属材製であり、前記ボトル栓とボトル本体との接続箇所にチェーン接続装置を係止するための係止部が設けられる。
【０００５】
前記ボトル本体外周の装飾ケーシング及びボトル栓上方の装飾キャップは貴石又は半貴石材料から作製される。
【０００６】
前記チェーン接続装置は、一端がヒンジで接続され、他端が可動ファスナで係合接続され、中間位置にチェーンに接続するためのリングがそれぞれ設けられる２つの円弧状の係合装置を含む金属スイッチバックルである。
【０００７】
前記ボトル本体及びボトル栓はアルミニウム合金製である。
【０００８】
前記ボトル本体及びボトル栓は黄金合金又は白金合金から作製される。
【０００９】
前記ボトル本体及びボトル栓はステンレス鋼製である。
【考案の効果】
【００１０】
本考案の実施例を実施すれば、以下の有益な効果を有する。
本考案の実施例の香水ボトルペンダントは、貴石又は半貴石の軽量性設計に合わせて、容器のサイズを小さくし、ペンダント全体の重量を軽減し、首に掛けるために適する。アルミニウム合金は錆びが出たり酸化したりすることはなく、エッセンシャルオイルの注入や保存に適するため、容器の材質をガラスからアルミニウム合金に変更する。内容器のサイズが小さくされるため、容量を増やすために、ねじ位置を長くして、従来のガラス製のディップスティックを代替し、また栓をねじった後に栓が脱落しにくいという問題を解決する。ペンダントのボトルネックに金属スイッチバックル（容器キャビティの外周凹部用）及びチェーン（接続用シルバーバックル）を付加し、このペンダントを機能的な製品にする。
【図面の簡単な説明】
【００１１】
【図１】本考案の実施例の構造模式図である。
【図２】本考案の実施例の金属スイッチバックルの構造模式図である。
【考案を実施するための形態】
【００１２】
本考案の目的、技術的解決手段及び利点をより明確にするために、以下に図面を参照しながら本考案についてさらに詳細に説明する。
【００１３】
本考案の実施例の香水ボトルペンダントは、香水エッセンシャルオイルを収容するためのボトル本体１を含み、ボトル本体の外周に装飾用の装飾ケーシング２が嵌設され、ボトル本体１の上方にはねじ山を介してボトル本体１に螺合されるボトル栓３が設けられ、ボトル栓３の下方には一端がボトル本体の内部に挿入するねじ位置４が設けられ、ボトル栓３の上方には装飾キャップ５がさらに設けられ、ボトル本体１及びボトル栓３がアルミニウム合金製であり、ボトル栓３とボトル本体１との接続箇所にチェーン接続装置を係止するための係止部６が設けられ、ボトル本体外周の装飾ケーシング及びボトル栓上方の装飾キャップが貴石又は半貴石材料から作製される。チェーン接続装置は、一端がヒンジ９で接続され、他端が可動ファスナ１０で係合接続され、中間位置にチェーンに接続するためのリング１１がそれぞれ設けられる２つの円弧状の係合装置８を含む金属スイッチバックル７である。
【００１４】
本考案の実施例の香水ボトルペンダントは、貴石又は半貴石の軽量性設計に合わせて、容器のサイズを小さくし、ペンダント全体の重量を軽減し、首に掛けるために適する。アルミニウム合金は錆びが出たり酸化したりすることはなく、エッセンシャルオイルの注入や保存に適するため、容器の材質をガラスからアルミニウム合金に変更する。内容器のサイズが小さくされるため、容量を増やすために、ねじ位置を長くして、従来のガラス製のディップスティックを代替し、また栓をねじった後に栓が脱落しにくいという問題を解決する。ペンダントのボトルネックに金属スイッチバックル（容器キャビティの外周凹部用）及びチェーン（接続用シルバーバックル）を付加し、このペンダントを機能的な製品にする。
【００１５】
以上の記載は本考案の好適な実施例にすぎず、当然これにより本考案の特許請求の範囲を限定することができず、そのため本考案の特許請求の範囲に基づいて行われる同等変形は、依然として本考案に含まれる範囲に属するものとする。
【図１】
0003221951.tif 000003
【図２】
0003221951.tif 000004